(57)【要約】本発明は、スマートディバイス画面で可視的に変化するウィジェットに対応して相異なるコンテンツを提供する方法に関するものである。本発明の方法は、（ａ）スマートディバイスのユーザ画面で可視的に変化するチェンジングウィジェットを表示するステップと、（ｂ）前記スマートディバイスの入力手段が前記チェンジングウィジェットを選択するステップと、（ｃ）前記選択されたチェンジングウィジェットに対応するコンテンツを前記スマートディバイスのユーザ画面に呼び出すステップと、を含む。
2016502199.tif 000002
【特許請求の範囲】
【請求項１】
（ａ）スマートディバイスのユーザ画面で可視的に変化するチェンジングウィジェットを表示するステップと、
（ｂ）前記スマートディバイスの入力手段が前記チェンジングウィジェットを選択するステップと、
（ｃ）前記選択されたチェンジングウィジェットに対応するコンテンツを前記スマートディバイスのユーザ画面に呼び出すステップと、を含むスマートディバイス画面で可視的に変化するウィジェットに対応して相異なるコンテンツを提供する方法。
【請求項２】
前記チェンジングウィジェットの可視的変化は前記チェンジングウィジェットの形態が変化することである請求項１に記載のスマートディバイス画面で可視的に変化するウィジェットに対応して相異なるコンテンツを提供する方法。
【請求項３】
前記チェンジングウィジェットの可視的変化は前記チェンジングウィジェットの色相が変化することである請求項１に記載のスマートディバイス画面で可視的に変化するウィジェットに対応して相異なるコンテンツを提供する方法。
【請求項４】
前記チェンジングウィジェットの可視的変化は前記チェンジングウィジェットがユーザ画面で位置する座標値を変更することである請求項１に記載のスマートディバイス画面で可視的に変化するウィジェットに対応して相異なるコンテンツを提供する方法。
【請求項５】
前記スマートディバイスはスマートフォンであり、
前記ステップ（ａ）で前記チェンジングウィジェットはロック解除画面の予め設定された領域に表示され、可視的に変化するものである請求項１に記載のスマートディバイス画面で可視的に変化するウィジェットに対応して相異なるコンテンツを提供する方法。
【請求項６】
前記スマートディバイスはスマートフォンであり、
前記ステップ（ａ）で前記チェンジングウィジェットはホーム画面の予め設定された領域に表示されると可視的に変化するものである請求項１に記載のスマートディバイス画面で可視的に変化するウィジェットに対応して相異なるコンテンツを提供する方法。
【請求項７】
前記ステップ（ｃ）で呼び出されて前記スマートディバイスのユーザ画面に表示されるコンテンツは、前記ステップ（ｂ）の選択イベント時点のチェンジングウィジェットの形態、色相、位置の変化に応じて相異なるコンテンツである請求項１に記載のスマートディバイス画面で可視的に変化するウィジェットに対応して相異なるコンテンツを提供する方法。
【請求項８】
前記ステップ（ｃ）で呼び出されて前記スマートディバイスのユーザ画面に表示されるコンテンツは、モバイルクーポン、情報ページ、広告コンテンツ、景品コンテンツ、メッセージコンテンツのうちいずれか一つのコンテンツが表示されることである請求項１に記載のスマートディバイス画面で可視的に変化するウィジェットに対応して相異なるコンテンツを提供する方法。
【請求項９】
（ｄ）前記選択されたチェンジングウィジェットに対応するコンテンツがリワードを含む場合、前記スマートディバイスのアカウントに該当リワードを提供するステップと、を更に含む請求項１に記載のスマートディバイス画面で可視的に変化するウィジェットに対応して相異なるコンテンツを提供する方法。
【請求項１０】
前記スマートディバイスはスマートフォン、タブレットＰＣ又はスマートテレビである請求項１に記載のスマートディバイス画面で可視的に変化するウィジェットに対応して相異なるコンテンツを提供する方法。
【請求項１１】
請求項１乃至請求項８のうちいずれか一項に記載の方法を実行するコンピュータで判読可能な記録媒体であって、
スマートディバイスのユーザ画面で可視的に変化するチェンジングウィジェットを表示するモジュールと、
前記スマートディバイスの入力手段の前記チェンジングウィジェットに対する選択イベントを認識するモジュールと、
前記選択されたチェンジングウィジェットに対応するコンテンツを前記スマートディバイスのユーザ画面に呼び出して表示するモジュールと、を含むコンピュータで判読可能な記録媒体。
【請求項１２】
ユーザ画面で可視的に変化して表示されるチェンジングウィジェットを実行するアプリケーションが設置されたスマートディバイスと、
前記スマートディバイスに前記チェンジングウィジェットアプリケーションを提供し管理するアプリケーションサーバと、
前記アプリケーションサーバを介してコンテンツを予め登録し、前記チェンジングウィジェットに対する選択イベントが発生することで該当選択イベントに対応するコンテンツを前記スマートディバイスに提供する複数のコンテンツ提供者サーバと、を含み、
前記チェンジングウィジェットの可視的変化に対応して前記スマートディバイスのユーザ画面に呼び出される前記コンテンツも異なる環境を構築することを特徴とするスマートディバイス画面で可視的に変化するウィジェットに対応して相異なるコンテンツを提供するシステム。
【請求項１３】
前記チェンジングウィジェットの可視的な変化は前記チェンジングウィジェットの形態、色相、位置のうちいずれか一つ以上の組み合わせが変わることである請求項１２に記載のスマートディバイス画面で可視的に変化するウィジェットに対応して相異なるコンテンツを提供するシステム。
【請求項１４】
前記スマートディバイスのユーザ画面に表示されるコンテンツは、モバイルクーポン、情報ページ、広告コンテンツ、景品コンテンツ、メッセージコンテンツのうちいずれか一つのコンテンツが表示されることである請求項１２に記載のスマートディバイス画面で可視的に変化するウィジェットに対応して相異なるコンテンツを提供するシステム。
【請求項１５】
前記コンテンツ提供者サーバは広告コンテンツを提供するサーバであり、前記スマートディバイスでの前記チェンジングウィジェット選択イベントが広告コンテンツを呼び出す場合、前記広告コンテンツ提供者サーバ又は前記アプリケーションサーバが前記スマートディバイスのアカウントにリワードを提供することである請求項１２に記載のスマートディバイス画面で可視的に変化するウィジェットに対応して相異なるコンテンツを提供するシステム。
【請求項１６】
前記スマートディバイスはスマートフォン、タブレットＰＣ又はスマートテレビである請求項１２に記載のスマートディバイス画面で可視的に変化するウィジェットに対応して相異なるコンテンツを提供するシステム。
【請求項１７】
スマートディバイスにおいて、
ユーザインタフェースを有するディスプレーと、
前記ディスプレーを介して入出力を実行する入力手段と出力手段と、
無線通信網を介して外部機器とデータ通信を行う通信モジュールと、
内部メモリと、
プロセッサと、を含み、
前記プロセッサは前記スマートディバイスに設置されたチェンジングウィジェットアプリケーションを実行し、前記ディスプレーのユーザ画面でチェンジングウィジェットを可視的に変動し、
前記入力手段が前記チェンジングウィジェットに対する選択イベントを発生する場合、該当選択イベントに反応して前記選択されたチェンジングウィジェットに対応するコンテンツを呼び出して前記ディスプレーのユーザ画面に表示することを特徴とするユーザ画面で可視的に変化するウィジェットに対応して相異なるコンテンツを表示するスマートディバイス。
【請求項１８】
前記チェンジングウィジェットの可視的な変化は前記チェンジングウィジェットの形態、色相、位置のうちいずれか一つ以上の組み合わせが変わることである請求項１７に記載のユーザ画面で可視的に変化するウィジェットに対応して相異なるコンテンツを表示するスマートディバイス。
【請求項１９】
前記スマートディバイスのユーザ画面に表示されるコンテンツは、モバイルクーポン、情報ページ、広告コンテンツ、景品コンテンツ、メッセージコンテンツのうちいずれか一つのコンテンツが表示されることである請求項１７に記載のユーザ画面で可視的に変化するウィジェットに対応して相異なるコンテンツを表示するスマートディバイス。
【請求項２０】
前記選択されたチェンジングウィジェットに対応するコンテンツは前記内部メモリに貯蔵されているか又は外部通信を介してコンテンツを提供するサーバに貯蔵されていることである請求項１７に記載のユーザ画面で可視的に変化するウィジェットに対応して相異なるコンテンツを表示するスマートディバイス。
【請求項２１】
前記スマートディバイスはスマートフォン、タブレットＰＣ又はスマートテレビである請求項１７に記載のユーザ画面で可視的に変化するウィジェットに対応して相異なるコンテンツを表示するスマートディバイス。
【発明の詳細な説明】
【技術分野】
【０００１】
本発明はスマートディバイスを利用したコンテンツ提供方法に関するものであり、特にスマートディバイスの画面に設置されたウィジェットを利用してコンテンツを提供する方法及びそのシステムに関するものである。
【背景技術】
【０００２】
最近、多様な系統と多様なディバイスを介して広範囲のコンテンツが流通されている。コンテンツの流通は伝統的にインターネットを利用して活性化されていた。中心となるハードウェアはＰＣであった。しかし、スマートフォンとタブレットＰＣの普及とソフトウェア技術の発展によって次第にモバイルディバイスにおけるコンテンツの流通が重視されている。
【０００３】
スマートフォンやタブレットＰＣの市場がモバイル産業の中心を占めると、従来のフィーチャーフォン中心の移動通信サービスは大きな変化を迎えるようになった。スマートフォンは単純に携帯電話として機能するのではなく、手の中の小さなパソコンとして機能することで以前には見られなかった多様な機能を具現することができるようになっている。また、新たなサービスの提供が可能になっている。
【０００４】
一方、スマートディバイスは数多くの機能を有しているが、画面が小さいためユーザインタフェースに関する様々な設計が必要であった。多様なアイコンが画面に配置されるようになった。あるアイコンはスマートディバイスに設置されたアプリケーションソフトウェアを呼び出して機能を実行する。あるアイコンは運営体制ソフトウェアの機能を設定するソフトウェアを呼び出して実行する。また、あるアイコンは一種のウィジェット（ｗｉｄｇｅｔ）として機能しながらブラウザを介せずに特定コンテンツにアクセスして利用可能にする機能を実行する。
【０００５】
モバイルコンテンツの利用又は特定アプリケーションの人気度は、結局どれだけよくユーザがアイコンやウェイジェットを選択して実行するのかにかかっている。問題は、スマートディバイスには多様な多くのアイコンとウィジェットが設置されているという点である。更に、このようなアイコンとウィジェットはディスプレー画面でその形態が固定されているイメージで存在するため、「イメージ差別性」以外にはユーザの選択を誘導するいかなる「誘惑」もなかった。
【０００６】
モバイルコンテンツの流通は２つの方法を介して行われる。一つはコンテンツを提供するアプリケーションサーバがディバイスにプッシュする方法である。このような方法は殆ど電子メールを介した通信、リンクを含むメッセージの伝送、ディバイスで実行された特定アプリケーション画面を利用した伝送を介して行われる。しかし、プッシュ方法で提供されるコンテンツの多くはスパムと認識されるため、ユーザに心理的不快感を与える恐れがある。他の方法は、ユーザがコンテンツのあるページにアクセスするプル（Ｐｕｌｌ）方法である。ユーザの自発性に起因してコンテンツが流通されるため、ユーザに心理的不快感を与えない長所がある。しかし、数多くのコンテンツのうちから「自発的な選択」に含まれるべきであるため、コンテンツの広範囲の流通という観点では限界があった。
【０００７】
モバイル環境でのユーザの経験と楽しさは尊重されるべきである。短期的な効果のためにコンテンツをプッシュしたが、それがユーザに不快感を与えるのであれば持続的なコンテンツの流通は不可能である。そのような点からプル方式のコンテンツの流通が望ましい方法として好まれるはずである。２つの解決法案が考えられる。第一、プッシュ方法を選択するが、ユーザの個人情報、即ち性別、年齢、位置、分析された行動に基づいてパーソナライズコンテンツをプッシュする方法である。第二、プル方法を選択するが、ユーザの自発的な選択を誘引する道具を開発する方法である。本発明の発明家は後者の方法を選択することで、プル方式の従来のコンテンツ提供方法の短所を改善することに焦点を置いている。
【０００８】
本発明の発明者はユーザの心理学的行動を研究し始めた。ユーザの行動には心理的動因があるため、ディバイスを利用して一連のイベントを実行する際にもある心理的理由があるはずだと考えたのである。そして、ディバイス環境でのユーザの一連の行為は、（１）好奇心由来の興味、（２）新しいイベントへの期待、（３）経済的補償への期待のうちいずれか一つから始まると分析されており、本発明の発明者はそれをプル方式のコンテンツの流通と結びつけるために研究努力した末、本発明を完成するに至った。
【発明の概要】
【発明が解決しようとする課題】
【０００９】
本発明の目的は、スマートディバイス画面にユーザの興味を誘発し選択イベントを誘引する新たなグラフィックユーザインタフェースと、そのようなグラフィックユーザインタフェースを利用して多様なコンテンツを呼び出すシステムを提供することにある。
【００１０】
また、本発明の他の目的は、このような新しい概念のグラフィックユーザインタフェースと連動してコンテンツを提供することで、コンテンツへのユーザのアクセスと流通の可能性を大きく向上することにある。
【００１１】
また、本発明の更に他の目的は、このようなシステムの必須構成要素として機能するスマートディバイスを提供することにある。
【００１２】
一方、本発明の明示されていない他の目的は下記の詳細な説明及びその効果から容易に推論し得る範囲内で追加的に考慮されるはずである。
【課題を解決するための手段】
【００１３】
このような目的を達成するための本発明の第１局面は、スマートディバイス画面で可視的に変化するウィジェットに対応して相異なるコンテンツを提供する方法として、
（ａ）スマートディバイスのユーザ画面で可視的に変化するチェンジングウィジェットを表示するステップと、
（ｂ）前記スマートディバイスの入力手段が前記チェンジングウィジェットを選択するステップと、
（ｃ）前記選択されたチェンジングウィジェットに対応するコンテンツを前記スマートディバイスのユーザ画面に呼び出すステップと、を含むことを特徴とする。
【００１４】
本発明の好ましい一実施例によるスマートディバイス画面で可視的に変化するウィジェットに対応して相異なるコンテンツを提供する方法において、前記チェンジングウィジェットの可視的変化は前記チェンジングウィジェットの形態が変化することである。
【００１５】
また、本発明の好ましい他の実施例によるスマートディバイス画面で可視的に変化するウィジェットに対応して相異なるコンテンツを提供する方法において、前記チェンジングウィジェットの可視的変化は前記チェンジングウィジェットの色相が変化することである。
【００１６】
また、本発明の好ましい更に他の実施例によるスマートディバイス画面で可視的に変化するウィジェットに対応して相異なるコンテンツを提供する方法において、前記チェンジングウィジェットの可視的変化は前記チェンジングウィジェットがユーザ画面で位置する座標値を変更することである。
【００１７】
また、本発明の好ましい一実施例によるスマートディバイス画面で可視的に変化するウィジェットに対応して相異なるコンテンツを提供する方法において、前記スマートディバイスはスマートフォンであり、前記ステップ（ａ）で前記チェンジングウィジェットはロック解除画面の予め設定された領域に表示され、可視的に変化する。
【００１８】
また、本発明の好ましい一実施例によるスマートディバイス画面で可視的に変化するウィジェットに対応して相異なるコンテンツを提供する方法において、前記スマートディバイスはスマートフォンであり、前記ステップ（ａ）で前記チェンジングウィジェットはホーム画面の予め設定された領域に表示され、可視的に変化する。
【００１９】
また、本発明の好ましい一実施例によるスマートディバイス画面で可視的に変化するウィジェットに対応して相異なるコンテンツを提供する方法において、前記ステップ（ｃ）で呼び出されて前記スマートディバイスのユーザ画面に表示されるコンテンツは、前記ステップ（ｂ）の選択イベント時点のチェンジングウィジェットの形態、色相又は位置の変化に応じて相異なるコンテンツであることが好ましい。
【００２０】
また、本発明の好ましい一実施例によるスマートディバイス画面で可視的に変化するウィジェットに対応して相異なるコンテンツを提供する方法において、前記ステップ（ｃ）で呼び出されて前記スマートディバイスのユーザ画面に表示されるコンテンツは、モバイルクーポン、情報ページ、広告コンテンツ、景品コンテンツ、メッセージコンテンツのうちいずれか一つのコンテンツが表示されることである。
【００２１】
また、本発明の好ましい一実施例によるスマートディバイス画面で可視的に変化するウィジェットに対応して相異なるコンテンツを提供する方法において、（ｄ）前記選択されたチェンジングウィジェットに対応するコンテンツがリワードを含む場合、前記スマートディバイスのアカウントに該当リワードを提供するステップと、を更に含む。
【００２２】
また、前記スマートディバイスはスマートフォン、タブレットＰＣ又はスマートテレビであることが好ましい。
【００２３】
本発明の第２局面は、前記のような方法を実行するコンピュータで判読可能な記録媒体であって、
スマートディバイスのユーザ画面で可視的に変化するチェンジングウィジェットを表示するモジュールと、
前記スマートディバイスの入力手段の前記チェンジングウィジェットに対する選択イベントを認識するモジュールと、
前記選択されたチェンジングウィジェットに対応するコンテンツを前記スマートディバイスのユーザ画面に呼び出して表示するモジュールと、を含むことが好ましい。
【００２４】
本発明の第３局面は、スマートディバイス画面で可視的に変化するウィジェットに対応して相異なるコンテンツを提供するシステムであって、
ユーザ画面で可視的に変化して表示されるチェンジングウィジェットを実行するアプリケーションが設置されたスマートディバイスと、
前記スマートディバイスに前記チェンジングウィジェットアプリケーションを提供し管理するアプリケーションサーバと、
前記アプリケーションサーバを介してコンテンツを予め登録し、前記チェンジングウィジェットに対する選択イベントが発生することで該当選択イベントに対応するコンテンツを前記スマートディバイスに提供する複数のコンテンツ提供者サーバと、を含み、
前記チェンジングウィジェットの可視的変化に対応して前記スマートディバイスのユーザ画面に呼び出される前記コンテンツも異なる環境を構築することを特徴とする。
【００２５】
本発明の第４局面は、スマートディバイスにおいて、
ユーザインタフェースを有するディスプレーと、
前記ディスプレーを介して入出力を実行する入力手段と出力手段と、
無線通信網を介して外部機器とデータ通信を行う通信モジュールと、
内部メモリと、
プロセッサと、を含み、
前記プロセッサは前記スマートディバイスに設置されたチェンジングウィジェットアプリケーションを実行し、前記ディスプレーのユーザ画面でチェンジングウィジェットを可視的に変動し、
前記入力手段が前記チェンジングウィジェットに対する選択イベントを発生する場合、該当選択イベントに反応して前記選択されたチェンジングウィジェットに対応するコンテンツを呼び出して前記ディスプレーのユーザ画面に表示することを特徴とする。
【発明の効果】
【００２６】
このような本発明によると、ユーザの自発性を極大化するユーザ環境が造成される。ユーザは好奇心と興味から誘引されて自らのディバイス画面上で可視的に変化するウィジェットを「自発的に」選択することで、隠れているコンテンツに「自発的に」アクセスするようになる。
【００２７】
全てのコンテンツがユーザを満足させることはない。ウェブとアプリ上に存在する数え切れないほどのコンテンツの数を見ると、単にコンテンツが不満足であるからとしてユーザが無条件的に無視するとは考えがたい。あるコンテンツは「偶然に」、そして他のコンテンツは必然にユーザを満足させる。しかし、全てのコンテンツがユーザを満足させることはできない。
【００２８】
本発明によるとウィジェットを可視的に変化しその変化イベントに対応してコンテンツも同じく変化するようにすることで、ユーザ自らに楽しさを与えるコンテンツの可能性を増加すると共に、その可能性を偶然性を結びつけることで活用可能性を大きく上げた長所がある。
【００２９】
ユーザは特別な理由なく習慣的にスマートフォンを手に取る。その多くは単に習慣からの行為である。そして、この習慣は「何か新しいこと（メッセージ又は情報）はないかな？」という期待感から始まる。本発明の方法はその「何か」を提供するため、新しいユーザ経験を引き起こす。
【００３０】
これでコンテンツの流通はより拡散するはずである。広告コンテンツさえ例外はない。心理的不快感よりは自らが選択した偶然的行為として受け入れられる長所がある。
【００３１】
一方、ここで明示的に言及されていない効果であっても、本発明の技術的特長によって期待される以下の明細書に記載された効果及び暫定的な効果は、本発明の明細書に記載されたものと同じく取り扱われることを付言する。
【図面の簡単な説明】
【００３２】
【図１】本発明のシステム構成例を概略的に示す図である。
【図２】本発明のスマートディバイスの内部の電子的構成例を示す図である。
【図３】本発明の一実施例におけるチェンジングウィジェット１５０の多様な変化を概念的に示す図である。
【図４】本発明のチェンジングウィジェット１５０が表示されるユーザ画面の位置の例を示す図である。
【図５】本発明の多様な実施例によるチェンジングウィジェット１５０とそれらの可視的変化の例を示す図である。
【図６】本発明の実施例において、チェンジングウィジェット１５０とそれに対応して変わりながら呼び出されるコンテンツ１７０の間の関係を概念的に説明する図である。
【図７】図６の関係をより具体的に例示する図である。
【図８】本発明の一実施例による方法の全体プロセスの構成を概略的に示すフローチャートである。ちなみに、添付した図面は本発明の技術思想に対する理解を助けるために参照として例示されたものであることを明らかにし、それによって本発明の権利範囲が制限されることはない。
【発明を実施するための形態】
【００３３】
まず、本発明の用語を以下のように定義する。
スマートディバイスディスプレー画面に表示されるアイコン、バッジ又はウィジェットであって、入力手段がそれを選択するとアプリケーションを実行してコンテンツを提供するかウェブブラウザを実行してコンテンツを提供する小型のグラフィックユーザインタフェース（ＧＵＩ）コンポーネントは、本明細書で全て「ウィジェット」と通称して使用する。例えば、スマートフォンのホーム画面にあるアイコンは本明細書で全て「ウィジェット」の一種として取り扱われる。
【００３４】
「チェンジングウィジェット」とは、スマートディバイスのディスプレー画面で形態、色相及び／又は位置が予め決められてスケジュールに応じて又はランダムに変更されるウィジェットを意味する。
【００３５】
以下、添付した図面を参照して本発明を実施するための具体的な内容を説明する。そして、本発明を説明するに当たって、関連する公知機能についてこの分野の技術者に自明な事項であって本発明の要旨を不必要に不明確にする恐れがあると判断される場合にはその詳細な説明を省略する。
【００３６】
図１は、本発明の一実施例による概略的なシステム構成を示す。スマートディバイス１００のディスプレー画面のある領域にウィジェット１５０が設置され、設置されたチェンジングウィジェット１５０は決められた規則によって又はランダムにディスプレー画面上でその形態、色相及び／又は位置を変更する。そして、アプリケーションサーバ２００はこのチェンジングウィジェット１５０を提供し、多数のデータベースを構築する。データベース２１０はチェンジングウィジェット１５０を設置したユーザディバイスに関する情報を記録する。データベース２２０はスマートディバイス１００のチェンジングウィジェット１５０に対する選択イベントの履歴を記録する。データベース２３０はチェンジングウィジェット１５０の実行に応じてスマートディバイス１００に提供されるコンテンツ２３０を保管し管理する。その他、図示されていないが、コンテンツを提供するコンテンツ提供者サーバ３００、３０１、３０２に関する情報を記録するデータベース、ユーザリワード又は課金情報を記録するデータベースなどが更に含まれる。また、アプリケーションサーバ２００はスマートディバイスに設置されたチェンジングウィジェットアプリケーションを管理し、データを更新し、設置された機能を追加、変更又は削除する。
【００３７】
スマートディバイス１００はアプリケーションサーバ２００にアクセスしてチェンジングウィジェットアプリケーションをディバイスに設置する。チェンジングウィジェット１５０を入力手段がタッチするなどの選択イベントが発生すると、選択イベント時点に対応するコンテンツをディバイス画面に表示する。好ましい一実施例において、チェンジングウィジェット１５０のチェンジングイベントに対応するこのコンテンツはアプリケーションサーバ２００にアクセスすることで実行される。本発明の好ましい他の実施例ではアプリケーションサーバ２００はコンテンツ履歴のみを記録し、ディバイス１００が該当コンテンツを提供するコンテンツ提供者サーバ３００、３０１、３０２のサイトに直接アクセスすることで実行される。
【００３８】
コンテンツ提供者サーバ３００、３０１、３０２は前記アプリケーションサーバ２００にコンテンツを予め登録する。コンテンツを直接登録してもよく、リンクを登録してもよい。
【００３９】
ここでのコンテンツはテキスト、イメージ、サウンドの組み合わせで構成できる。コンテンツはコンテンツ提供者サーバ３００、３０１、３０２が提供するウェブページにアクセスするものであってもよい。コンテンツは動画コンテンツであってもよい。また、コンテンツはある情報を有するデータ又は媒体であってもよい。例えば、クーポンやチケットなどがそうである。
【００４０】
通信システムは無線通信網を利用する。無線通信網は３Ｇ、ＬＴＥなどの移動通信網やＷｉ−Ｆｉインターネットなどの無線インターネットを含む。
【００４１】
本発明の明細書におけるスマートディバイスはコンピューティング装置である。好ましくはスマートフォン、タブレットＰＣなどのモバイルコンピューティングディバイスとスマートフォン又はタブレットＰＣと連動するスマートテレビを称する。
【００４２】
図２は、本発明の一実施例におけるスマートディバイスの内部の電子的構成を概略的に示している。入力装置１０９は入力手段によって実行される入力イベントを受信する。スマートフォンやタブレットＰＣでは入力装置１０９はタッチスクリーンであり、タッチイベントをプロセッサに伝達する。スマートテレビの入力装置１０９は連動されるスマートフォンやタブレットＰＣの入力手段を利用する。また、スマートテレビの入力装置１０９は無線で通信するリモコンやリモコン機能を実行するマウスである。
【００４３】
通信モジュール１０８は外部装置とデータを交換する役割をする。チェンジングウィジェットを媒介にする各種入出力イベントの送受信は通信モジュール１０８を介して処理される。また、モバイルディバイスではＧＰＳモジュール１０７が含まれる。プロセッサ１１０はチェンジングウィジェットの設置、表示及び実行に関するプロセッサの処理を制御し、特にＧＵＩ要素でのチェンジングウィジェットの変化を運営体制ソフトウェアが保障し、アプリケーションソフトウェアによって実行されるように制御する。
【００４４】
スマートディバイスの内部メモリ１２０には一般にディバイスに使用されるコンピュータコード及びデータを保管する場所を提供する。また、本発明の内部メモリ１２０はチェンジングウィジェットアプリケーション１２１と、チェンジングウィジェットを実行し管理するために必要なリソース１２２と、チェンジングウィジェットの実行による多様な履歴とダウンロードされたコンテンツを保管するデータベース１２３を格納する。本発明の一実施例ではチェンジングウィジェットに対応して呼び出されるコンテンツはディバイスの内部メモリ１２０に保管されているコンテンツである。また、本発明の他の実施例ではチェンジングウィジェットに対応して呼び出されるコンテンツは外部サーバ、即ちアプリケーションサーバ２００又はコンテンツ提供者サーバ３００、３０１、３０２のデータベースに構築されたコンテンツである。
【００４５】
プロセッサ１１０は運営体制と共にコンピュータコードを実行しデータを生成及び使用する動作を実行する。また、プロセッサ１１０は一連の命令語を使用してスマートディバイスのコンポーネント間の入力及び出力データを受信及び処理する。また、プロセッサ１１０はスマートディバイスに設置されたアプリケーションソフトウェアの機能を実行する制御部の役割をする。本発明において、前記プロセッサ１１０はスマートディバイスに設置されたチェンジングウィジェットアプリケーションを実行し、ディスプレーのユーザ画面でチェンジングウィジェットを可視的に変動する機能を実行する。また、入力手段がチェンジングウィジェットに対する選択イベントを発生する場合、該当選択イベントに反応して選択されたチェンジングウィジェットに対応するコンテンツを呼び出してディスプレーのユーザ画面に表示する機能を実行する。
【００４６】
スマートディバイスのディスプレー１０６とスピーカ１０５はスマートディバイスの出力装置として機能する。チェンジングウィジェットはディスプレー１０６のユーザインタフェース上のある階層に配置される。
【００４７】
図３は、本発明の好ましい一実施例におけるチェンジングウィジェット１５０の変動性を示す構成を概念的に示す。スマートディバイス１００の画面にチェンジングウィジェット１５０が表示される。チェンジングウィジェット１５０はアプリケーションサーバによって設定された規則に応じてその形態、色相及び／又はいちを決められた時間間隔又はランダムに変更する。即ち、ディバイス画面に設置されたウィジェットは１つであるが、変動イベントに応じて第１ウィジェット１５１、第２ウィジェット１５２、第３ウィジェット１５３、第Ｎウィジェット１５４に変える。
【００４８】
例えば、入力手段５０がチェンジングウィジェット１５０のうちいずれか一つのウィジェットの上にタッチ地点５１を形成することで選択イベントが発生したとする。そして、その時点でチェンジングウィジェット１５０はあるウィジェット１５１に変更されたとする。すると、複数あるコンテンツの中から第１ウィジェット１５１に対応するコンテンツが選択されてディバイスに表示される。他のウィジェットに対応するコンテンツが表示されることはない。本発明の好ましい実施例において、ユーザはウィジェット１５０が変更されているという事実のみを知っているだけであって、どのコンテンツが隠れているのかは知らないためユーザの好奇心と興味が誘発される環境が造成される。
【００４９】
図４は、本発明のチェンジングウィジェット１５０がスマートディバイス１００、特にモバイルディバイスに表示される位置に関する２つの実施例を示す。これは例示的なものであって、ウィジェットの大きさ、具体的な配置と形態に応じて本発明の保護範囲が制限されることはない。図４（ａ）はロック解除画面でチェンジングウィジェット１５０が表示される実施例を、図４（ｂ）はホーム画面でチェンジングウィジェット１５０が表示される実施例を示す。
【００５０】
図４（ａ）に示したように、本発明のチェンジングウィジェット１５０はロック解除画面１０１の上端に配置される。スリープモードのスマートディバイスに対して入力手段を押すとこのようにロック解除画面１０１が呼び出される。この際、チェンジングウィジェット１５０も一緒に呼び出される。ロック解除画面１０１の特定の位置、好ましくはロック解除画面１０１の上端にチェンジングウィジェット１５０が位置してその形態、色相、位置などが変更できる。本実施例では、チェンジングウィジェットアプリケーションがスマートディバイス１００の運営体制ソフトウェアのモジュールにアクセスしてロック解除画面１０１の上端に表示される機能を獲得する。また、チェンジングウィジェット１５０がロック解除画面１０１上でランチャー（Ｌａｕｎｃｈｅｒ）として機能して表示されるようにする。
【００５１】
図４（ａ）の実施例において、入力手段がチェンジングウィジェット１５０にタッチイベントが発生すると、（１）ロック解除画面１０１上でコンテンツ表示領域を獲得してコンテンツ表示領域に予め登録されているコンテンツを表示するプロセス、（２）チェンジングウィジェット１５０に対するタッチイベントがロック解除を実行しながら予め登録されているコンテンツを表示する画面に移行するプロセスが実行される。
【００５２】
図４（ｂ）に示したように、本発明の他の実施例ではスマートディバイス１００のホーム画面１０１ａの特定位置にチェンジングウィジェット１５０が配置される。ホーム画面１０１ａは複数のページを有し、メイン画面（ロックが解除されると可視化される画面）ではなくサブ画面（ユーザのタッチジェスチャーによってのみ可視化される画面）にチェンジングウィジェット１５０があればユーザのアクセス性が大きく制限されるため、好ましくはメイン画面の上端にチェンジングウィジェット１０５が配置されるように構成できる。他のウィジェット１４９（即ち、アイコン）と共に配列されながら上端に表示されてもよく、或いは他のウィジェット１４９が離隔されて配列されながら区別可能な位置に設置されてもよい。
【００５３】
図５は、本発明の様々な実施例による多様なチェンジングウィジェット１５０の形態／色相の変化を例示している。チェンジングウィジェット１５０は多様なデザインを有する。幾何学的形態、色相、文字や記号で形成されたアイコン、画面上に表示される立体的な映像など多様にデザインされる。チェンジングウィジェット１５０は入力手段の選択イベントを認識する手段、その形態及び／又は色相を変更する手段、そして予め登録されているコンテンツをユーザ画面に提供する手段を有するアプリケーションコンポーネントであればそのデザインは特に制限されない。
【００５４】
図５（ａ）は、チェンジングウィジェットの色相が変更されて表示されることを示す（特許図面の形式のため色相の相違を斜線の種類の相違によって示している）。チェンジングウィジェットの形態は変化しないが、予め決められた規則又はランダムに色相が変わりながら表示される。相異なる色相のウィジェットを選択するたびにそれに対応して相異なるコンテンツが表示されるようにする。本実施例のチェンジングウィジェットの色彩が変わるか色相の明度が変わるなど、多様な視覚的変化を伴う。
【００５５】
図５（ｂ）は、ユーザ画面に位置するチェンジングウィジェットの幾何学的形態が変更される実施例を示す。このようにウィジェットの形態が変わったということは、それに対応するコンテンツが変更されたことを示す。幾何学的形態には殆ど制限がないため、図面に表示された形態は単なる例示にすぎない。多様な応用例があるはずである。例えば、風船状のチェンジングウィジェットがディスプレーの画面に位置するが、風船の大きさが変わることで図５（ｂ）の実施例が変更されてもよい。図５（ｂ）の実施例は図５（ａ）の実施例と組み合わせされてもよい。
【００５６】
図５（ｃ）は、絵文字の形態に変化するチェンジングウィジェットの実施例を示す。絵文字はコンピュータネットワークでユーザに広く使用されているデザインであるため、グラフィックユーザインタフェースとして高い活用性を有する。本実施例で絵文字の形態変化によって変化したコンテンツが存在することをユーザに知らせる。
【００５７】
図５（ｄ）は、チェンジングウィジェットが企業のロゴで構成される実施例を示す。本実施例はチェンジングウィジェットが広告媒体として作用するユーザ経験を提供する。チェンジングウィジェットが示すロゴを選択することで、そのロゴを使用する会社の広告コンテンツにアクセスすることができる。
【００５８】
図５（ｅ）は、立体的形状を有するチェンジングウィジェットに関する例示である。３Ｄイメージの形態にチェンジングウィジェットが構成され、この立体的形状のチェンジングウィジェットが方位角を変更しながら回転するか立体的形態を変えることでそれに対応して変更されるコンテンツのインタフェースとして機能するように構成される。
【００５９】
上述した図５のチェンジングウィジェットに関する多様な実施例は互いに組み合わせられてもよく、他の変形例も可能であることを付言する。他の変形例として、チェンジングウィジェットの位置移動がある。ユーザ画面の特定位置（ポジション  １）にあるチェンジングウィジェットがスケジューリングに応じて画面での位置（ポジション  ２）を変更する構成を含む。例えば、右側上端に位置するチェンジングウィジェットが時間の経過とともに左側上端に位置するようにそのユーザ画面での位置座標値を変更する。このような位置変更はユーザが認知し得る可視的変化を意味する。そして、位置変動による対応するコンテンツも変更される。上述した形態及び／又は色相の変化と位置変動が結合されると、チェンジングウィジェットの変化に対する可視性が更に大きくなる。
【００６０】
図６は、本発明のチェンジングウィジェット１５０とそれに対応するコンテンツ１７０の関係を概念的に示す。スマートディバイスに設置されるチェンジングウィジェットアプリケーションはアプリケーションスケジューラ１６０のモジュールを含む。アプリケーションスケジューラ１６０はチェンジングウィジェット１５０のリアルタイムの変動を決められたスケジュールに合わせて実行する。好ましい一実施例では、決められた時間間隔ごとにチェンジングウィジェット１５０の形態、色相及び／又は位置を変更する。好ましい他の実施例ではスマートディバイスの位置情報を習得し、その情報に対応してチェンジングウィジェット１５０の形態、色相及び／又は位置を変更する。本発明の好ましい他の実施例ではチェンジングウィジェット１５０をランダムに変更する。
【００６１】
チェンジングウィジェットアプリケーションはチェンジングウィジェット１５０の変更方法を設定するユーザインタフェースが提供できる。また、アプリケーションサーバはアプリケーションスケジューラ１６０のスケジューリング機能をアップデートする。本発明において、コンテンツは複数あるが、チェンジングウィジェット１５０が変更されると、それに応じて対応するコンテンツ１７０が変更されるイベントを伴う。即ち、チェンジングウィジェット１５０と対応コンテンツ１７０は互いにマッチング関係の情報を有する。よって、アプリケーションスケジューラ１６０はチェンジングウィジェット１５０とマッチングされるコンテンツ１７０のスケジューリング機能を行うと理解される。登録されるコンテンツが変更されるたびにマッチング関係も変更される。
【００６２】
図７は、チェンジングウィジェット１５０と対応コンテンツ１７１、１７２、１７３、１７４の関係に関する多様なシナリオを示す。チェンジングウィジェット１５０は上述したようにリアルタイムでその形態を変えるか色彩を変えながらグラフィックユーザインタフェースの視覚的変更を示す。すると、ユーザはその変更を認識しながらあるイベントを実行する。選択イベントに対応して予め設定されたコンテンツが画面に表示される。
【００６３】
ユーザはスマートディバイスの画面に表示されたチェンジングウィジェット１５０をタッチする。タッチ入力プロセスでユーザの指は入力手段として作用する技術手段になる。タッチスクリーンの観点では、タッチイベントが発生したタッチ地点を感知することがそのまま入力手段になる。このようなフィンガータッチ以外に入力手段は電子ペンのような入力器を含むことはもちろんである。すると、ユーザ画面にモバイル「クーポン」１７１が対応するコンテンツとして表示される。ユーザはこのクーポンをメモリにダウンロードし、それを利用して経済的に活用することができる。モバイルクーポンとしてユーザは飲料券、公演のチケット、宿泊券、注油券、割引券などを使用する。
【００６４】
チェンジングウィジェット１５０が変更されたとする。このウィジェットを選択すると、今回はある情報を提供するコンテンツ１７２になり得る。好ましくはニュース情報である。また、占い、名言やことわざを収録したテキスト、その他ユーザに有用な情報を提供するコンテンツであってもよい。即ち、この際のコンテンツは情報ページである。
【００６５】
チェンジングウィジェット１５０がまた変更されている。このウィジェットを選択すると、今回は広告コンテンツ１７３になり得る。動画やイメージに製作された広告コンテンツであってもよく、又はリンクが登録されている広告主のサイトにアクセスするものであってもよい。そして、アプリケーションは広告コンテンツ１７３を実行したイベントを記録し、イベントごとに予め設定されたリワードをスマートディバイスのアカウントに提供する。このような利ワードモデル広告技法は当業界では公知の技術である。しかし、全てのユーザが単にリワードだけで広告コンテンツにアクセスすることはない。大部分のユーザは小額のリワードよりは心理的不便さのため広告コンテンツを無視する傾向を示している。しかし、本発明の方法ではチェンジングウィジェット１５０が何を含んで知るのかに関する好奇心を誘発し、リワードそのものもこのような好奇心と結合することでより大きい誘引効果を引き起こす。本発明によって広告コンテンツはより容易に自発的にアクセスされ拡散される。
【００６６】
ある実施例では、チェンジングウィジェット１５０を選択したが「残念、はずれです」というメッセージがポップアップされることがある。本発明では「はずれ」も一つもコンテンツとして作用する。一種のメッセージコンテンツである。
【００６７】
チェンジングウィジェット１５０が更に変更されている。このウィジェットを選択すると、今回は景品コンテンツ１７４が提示される。ユーザは該当景品コンテンツ１７４をメモリにダウンロードし、景品を受領する。
【００６８】
図８は、これまで詳細に説明したことに基づいて本発明の好ましい一実施例による全体プロセスの構成を概略的に示している。スマートディバイスにはチェンジングウィジェットが設置されている。ユーザはチェンジングウィジェットの実行環境を設定する。例えば、アプリケーション実行可否、実行時間、チェンジングウィジェットの変更条件などがそうである。
【００６９】
まず、スマートディバイスはユーザ画面の特定位置でチェンジングウィジェットを表示するＳ１００。本発明のある実施例において、Ｓ１００のチェンジングウィジェットはロック解除画面に表示される。また、本発明の他の実施例において、Ｓ１００のチェンジングウィジェットはホーム画面に表示される。そして、Ｓ１００のチェンジングウィジェットは上述したようにその形態、色相及び／又は位置を変更する。
【００７０】
スマートディバイスの入力手段が前記チェンジングウィジェット上で選択イベントを発生するＳ１１０。モバイルディバイスではタッチイベントが、スマートテレビでは遠隔での選択イベントが発生する。
【００７１】
すると、選択時点のチェンジングウィジェットに対応するコンテンツを呼び出してスマートディバイスの画面を介して出力するＳ１２０。これはコンテンツを画面に単純に表示するか再生することである。また、これはリンクされたサイトにアクセスすることであってもよい。
【００７２】
上述したように、コンテンツは単に情報のみを提供するものもあり、特別な内容がないものもある。また、コンテンツはユーザに金銭的な補償を与えることもできる。スマートディバイスは該当コンテンツにユーザがアクセスしたイベントに対応して補償があるのか否かを判断するＳ１３０。
【００７３】
もしユーザに対して登録された補償があれば、スマートディバイスのアカウントにリワードを提供し記録するリワードイベントを実行するＳ１４０。
【００７４】
本発明の一実施例によるスマートディバイス画面で可視的に変化するウィジェットに対応して相異なるコンテンツを提供する方法は、多様なコンピュータ手段を介して行われるプログラム命令形態に具現されてコンピュータで判読可能な記録媒体に記録される。前記コンピュータで判読可能な記録媒体はプログラム命令、データファイル、データ構造などを単独に又は組み合わせて含む。前記媒体に記録されるプログラム命令は本発明のために特別に設計され構成されたものであるか、コンピュータソフトウェアの当業者に公知されて使用可能なものであってもよい。
【００７５】
コンピュータで判読可能な記録媒体の例としては、ハードディスク、フロッピディスク及び磁気テープのような磁気媒体（ｍａｇｎｅｔｉｃ  ｍｅｄｉａ）、ＣＤ−ＲＯＭ，ＤＶＤのような光記録媒体（ｏｐｔｉｃａｌ  ｍｅｄｉａ）、フロプティカルディスク（ｆｌｏｐｔｉｃａｌ  ｄｉｓｋ）のような磁気−光媒体（ｍａｇｎｅｔｏ−ｏｐｔｉｃａｌ  ｍｅｄｉａ）及びロム（ＲＯＭ）、ラム（ＲＡＭ）、フラッシュメモリなどのようなプログラム命令を貯蔵し行うように特別に構成されたハードウェア装置が含まれる。プログラム命令の例としては、コンパイラによって作られるもののような機械語コードだけでなくインタプリタなどを使用してコンピュータによって実行される高級言語コードを含む。上述したハードウェア装置は本発明の動作を行うために一つ以上のソフトウェアモジュールとして作動するように構成され、その逆も同じである。
【００７６】
本発明によるコンピュータで判読可能な記録媒体は、上述した内容とプロセスを実行するためのソフトウェアモジュールを含む。そのようなモジュールとして、スマートディバイスのユーザ画面で可視的に変化するチェンジングウィジェットを表示するモジュールと、スマートディバイスの入力手段の前記チェンジングウィジェットに対する選択イベントを認識するモジュールと、選択されたチェンジングウィジェットに対応するコンテンツをスマートディバイスのユーザ画面に呼び出して表示するモジュールを含む。
【００７７】
本発明の図面の表示に関して、各ブロックは特定された論理的機能を実行するための一つ以上の実行可能なインストラクションを含むモジュール、セグメント又はコードの一部を示す。また、いくつかの代替実行例ではブロックで言及した機能が順番を逸脱して発生することもあることに注目すべきである。例えば、連続に図示されている２つのブロックは実は実質的に同時に行われてもよく、又はそのブロックが時々該当する機能に応じて逆順に行われてもよい。図面は説明の便宜上誇張されて表示されていることを付言する。
【００７８】
本発明の保護範囲が前記で明示的に説明した実施例の記載と表現に制限されることはない。また、本発明の属する技術分野で自明な変更や置換によって本発明の保護範囲が制限されることもないことを再度付言する。
【図１】
2016502199.tif 000003
【図２】
2016502199.tif 000004
【図３】
2016502199.tif 000005
【図４】
2016502199.tif 000006
【図５】
2016502199.tif 000007
【図６】
2016502199.tif 000008
【図７】
2016502199.tif 000009
【図８】
2016502199.tif 000010
【国際調査報告】
2016502199.tif 000011
2016502199.tif 000012
2016502199.tif 000013
2016502199.tif 000014